(57)【要約】第２のウェブサイトに表示された販売促進情報をクリックすることにより、第１のウェブサイトのジャンプサーバによって第１のウェブサイト内の対応する販売促進ウェブページにリダイレクトされた第１のジャンプ訪問の数が数えられる。販売促進ウェブページ上の取引情報をクリックすることにより、第１のウェブサイトのクリックサーバによって対応する取引ウェブページにリダイレクトされた第２のジャンプ訪問の数が数えられる。第１のジャンプ訪問の数えられた数および第２のジャンプ訪問の数えられた数に基づいて、販売促進情報に対する第２のジャンプ訪問比率が決定される。販売促進情報のリダイレクション品質が、決定された第２のジャンプ訪問比率に基づいて決定される。
2015511036.tif 000002
【特許請求の範囲】
【請求項１】
販売促進情報のリダイレクション品質を決定する方法であって、
第２のウェブサイトに表示された販売促進情報をクリックすることにより、前記第２のウェブサイトのジャンプサーバによって第１のウェブサイト内の対応する販売促進ウェブページにリダイレクトされた第１のジャンプ訪問の数を数えることと、
前記販売促進ウェブページ上の取引情報をクリックすることにより、前記第１のウェブサイトのクリックサーバによって対応する取引ウェブページにリダイレクトされた第２のジャンプ訪問の数を数えることと、
前記第１のジャンプ訪問の前記数えられた数および第２のジャンプ訪問の前記数えられた数に基づいて、前記販売促進情報に対する第２のジャンプ訪問比率を決定することと、
前記決定された第２のジャンプ訪問比率に基づいて前記販売促進情報の前記リダイレクション品質を決定することと、を含む、方法。
【請求項２】
前記第２のジャンプ訪問比率を決定することは、
第２のジャンプ訪問の前記数えられた数を第１のジャンプ訪問の前記数えられた数で割った商の値を、前記販売促進情報の前記第２のジャンプ訪問比率として扱うことを含む、請求項１に記載の方法。
【請求項３】
前記第２のジャンプ訪問比率に基づいて、前記販売促進情報に関する前記第１のウェブサイトと前記第２のウェブサイトとの間の収益比率を決定することをさらに含む、請求項１に記載の方法。
【請求項４】
前記第２のジャンプ訪問の各第２のジャンプ訪問に対応する料金情報を決定することと、
各第２のジャンプ訪問に対して、前記料金情報および前記収益比率に基づいて前記第２のジャンプ訪問に関する前記第１のウェブサイトおよび前記第２のウェブサイトの収益情報を決定することと、をさらに含む、請求項３に記載の方法。
【請求項５】
前記クリックサーバから第２のジャンプクリックログを取得することをさらに含み、
前記第２のジャンプクリックログは、ユーザが前記販売促進ウェブページ内の前記取引情報をクリックするたびに生成される第２のジャンプ訪問レコードを含み、前記第２のジャンプ訪問レコードは、前記ユーザによってクリックされる前記取引情報の識別子と、前記販売促進情報の識別子と、前記ユーザによってクリックされた前記取引情報に対応する前記取引ウェブページの取引識別子とを含み、
前記料金情報を決定することは、
前記販売促進ウェブページに属するすべての取引情報の識別子を取得することと、
前記リダイレクション品質が決定される前記販売促進情報の前記識別子と、前記第２のジャンプクリックログからの前記取引情報の前記識別子とを含む、第２のジャンプ訪問レコードを決定することと、
各決定された第２のジャンプ訪問レコードに対して、前記第２のジャンプ訪問レコードに含まれる前記取引識別子に基づいて、前記第２のジャンプ訪問レコードに対応する第２のジャンプ訪問の料金情報を計算することと、を含む、請求項４に記載の方法。
【請求項６】
前記ジャンプサーバから第１のジャンプクリックログを取得することをさらに含み、
前記第１のジャンプクリックログは、ユーザが前記第１のウェブサイトの前記販売促進情報をクリックするたびに生成される第１のジャンプ訪問レコード含み、前記第１のジャンプ訪問レコードは、前記ユーザによってクリックされた前記販売促進情報の識別子を含み、
第１のジャンプ訪問の前記数を数えることは、
前記第１のジャンプクリックログからの前記販売促進情報の前記識別子を含む第１のジャンプ訪問レコードの数を数えることと、
第１のジャンプ訪問レコードの前記数えられた数を、前記ジャンプサーバによって前記対応する販売促進ウェブページにリダイレクトされた第１のジャンプ訪問の前記数として扱うことと、を含む、請求項１に記載の方法。
【請求項７】
前記クリックサーバから第２のジャンプクリックログを取得することをさらに含み、
前記第２のジャンプクリックログは、ユーザが前記販売促進ウェブページ内の前記取引情報をクリックするたびに生成される第２のジャンプ訪問レコードを含み、前記第２のジャンプ訪問レコードは、前記ユーザによってクリックされた前記取引情報の識別子と、前記販売促進情報の識別子とを含み、
第２のジャンプ訪問の前記数を数えることは、
前記販売促進ウェブページ内のすべての取引情報の識別子を取得することと、
前記リダイレクション品質が決定される前記販売促進情報の前記識別子と、前記取引情報の前記識別子とを含む第２のジャンプ訪問レコードの数を数えることと、
前記販売促進情報をクリックすることにより、前記ジャンプサーバによって前記対応する販売促進ウェブページにリダイレクトされた前記第１のジャンプ訪問の中から、第２のジャンプ訪問レコードの前記数えられた数を、前記販売促進ウェブページ上の前記取引情報をクリックすることにより前記クリックサーバによって前記対応する取引ウェブページにリダイレクトされた第２のジャンプ訪問の前記数として扱うことと、を含む、請求項１に記載の方法。
【請求項８】
前記販売促進情報の前記リダイレクション品質を決定することは、
複数の異なるリダイレクション品質に対応する所定の第２のジャンプ訪問比率範囲から、前記決定された第２のジャンプ訪問比率が位置付けられる第２のジャンプ訪問比率範囲を見出すことと、
前記位置付けられた第２のジャンプ訪問比率範囲を、前記販売促進情報の前記リダイレクション品質として扱うことと、を含む、請求項１に記載の方法。
【請求項９】
販売促進情報のリダイレクション品質を決定する装置であって、
第２のウェブサイトに表示された販売促進情報をクリックすることにより、第１のウェブサイトのジャンプサーバによって前記第１のウェブサイト内の対応する販売促進ウェブページにリダイレクトされた第１のジャンプ訪問の数を数えるように構成された、第１のジャンプ訪問数計数ユニットと
前記販売促進ウェブページ内の取引情報をクリックすることにより、前記第１のウェブサイトのクリックサーバによって対応する取引ウェブページにリダイレクトされた前記第２のジャンプ訪問の数を数えるように構成された、第２のジャンプ訪問数計数ユニットと、
前記第１のジャンプ訪問数計数ユニットによって数えられた前記第１のジャンプ訪問の前記数および前記第２のジャンプ訪問数計数ユニットによって数えられた前記第２のジャンプ訪問の前記数に基づいて、前記販売促進情報の第２のジャンプ訪問比率を決定するように構成された、第２のジャンプ訪問比率決定ユニットと、
前記第２のジャンプ訪問比率決定ユニットによって決定された前記第２のジャンプ訪問比率に基づいて、前記販売促進情報のリダイレクション品質を決定するように構成された、リダイレクション品質決定ユニットと、を備える、装置。
【請求項１０】
前記第２のジャンプ訪問比率決定ユニットは、前記第２のジャンプ訪問計数ユニットによって数えられた前記第２のジャンプ訪問の前記数を前記第１のジャンプ訪問計数ユニットによって数えられた前記第１のジャンプ訪問の前記数で割った商の値を、前記販売促進情報の前記第２のジャンプ訪問比率として使用するようにさらに構成される、請求項９に記載の装置。
【請求項１１】
前記第２のジャンプ訪問比率決定ユニットによって決定された前記第２のジャンプ訪問比率に基づいて、前記販売促進情報に関する前記第１のウェブサイトと前記第２のウェブサイトとの間の収益比率を決定するように構成される収益比率決定ユニットをさらに備える、請求項９に記載の装置。
【請求項１２】
各第２のジャンプ訪問に対応する料金情報を決定するように構成された料金情報決定ユニットと、
前記料金情報決定ユニットによって決定された前記料金情報および前記収益比率決定ユニットによって決定された前記収益比率に基づいて、各第２のジャンプ訪問に関する前記第１のウェブサイトおよび前記第２のウェブサイトに対するそれぞれの収益の情報を決定するように構成された、収益情報決定ユニットと、をさらに備える、請求項１１に記載の装置。
【請求項１３】
前記第１のウェブサイトの前記クリックサーバから第２のジャンプクリックログを取得するように構成された、第２のジャンプクリックログ取得ユニットをさらに備え、
前記第２のジャンプクリックログは、ユーザが前記販売促進ウェブページ内の前記取引情報をクリックするたびに生成される第２のジャンプ訪問レコードを含み、前記第２のジャンプ訪問レコードは、前記ユーザによってクリックされる前記取引情報の識別子と、前記販売促進情報の識別子と、前記ユーザによってクリックされた前記取引情報に対応する前記取引ウェブページの取引識別子とを含む、請求項９に記載の装置。
【請求項１４】
前記販売促進ウェブページ内のすべての取引情報の識別子を取得するように構成された第１の取引情報識別子取得サブユニットと、
前記リダイレクション品質が決定され得る販売促進情報の前記識別子と、前記第２のジャンプクリックログ取得ユニットによって取得される前記第２のジャンプクリックログから前記第１の取引情報識別子取得ユニットによって取得された前記取引情報の前記識別子とを含む前記第２のジャンプ訪問レコードを決定するように構成された、第２のジャンプ訪問レコード決定サブユニットと、
前記第２のジャンプ訪問レコード決定サブユニットによって決定された各第２のジャンプ訪問レコードに対して、前記第２のジャンプ訪問レコードに含まれる取引識別子に基づいて、前記第２のジャンプ訪問レコードに対応する第２のジャンプ訪問の料金情報を決定するように構成された、料金情報決定サブユニットと、さらに備える、請求項１３に記載の装置。
【請求項１５】
前記第２のウェブサイトの前記ジャンプサーバから第１のジャンプクリックログを取得するように構成された、第１のジャンプクリックログ取得ユニットをさらに備え、
前記第１のジャンプ訪問計数ユニットは、
前記第１のジャンプクリックログからの前記販売促進情報の前記識別子を含む前記第１のジャンプ訪問レコードの数を数えるように構成された、第１のジャンプ訪問レコード計数サブユニットと、
前記第１のジャンプ訪問レコード計数サブユニットによって数えられた第１のジャンプ訪問レコードの前記数を、前記販売促進情報をクリックすることにより前記ジャンプサーバによって前記対応する販売促進ウェブページにリダイレクトされた第１のジャンプ訪問の前記数として扱うように構成された、第１のジャンプ訪問数確認サブユニットと、をさらに備える、請求項９に記載の装置。
【請求項１６】
前記第２のジャンプ訪問計数ユニットは、
前記販売促進ウェブページ上のすべての取引情報の識別子を取得するように構成された、第２のサービス情報識別子取得サブユニットと、
前記リダイレクション品質が決定され得る販売促進情報の前記識別子と、前記取引情報の前記識別子とを含む前記第２のジャンプ訪問レコードの数を決定するように構成された、第２のジャンプ訪問レコード計数サブユニットと、
前記販売促進情報をクリックすることにより、前記ジャンプサーバによって前記対応する販売促進ウェブページにリダイレクトされた前記第１のジャンプ訪問の中から、前記第２のジャンプ訪問レコード計数サブユニットによって取得された前記第２のジャンプ訪問レコードの前記数を、前記販売促進ウェブページ内の前記取引情報をクリックすることにより前記クリックサーバによって前記対応する取引ウェブページにリダイレクトされた第２のジャンプ訪問の前記数として扱うように構成された、第２のジャンプ訪問数確認サブユニットと、を備える、請求項９に記載の装置。
【請求項１７】
前記リダイレクション品質決定ユニットは、
様々なリダイレクション品質に対応する所定の第２のジャンプ比率範囲の中から、前記第２のジャンプ訪問比率決定ユニットによって決定された前記第２のジャンプ訪問比率が配置される第２のジャンプ訪問比率範囲を見出すように構成された、第２のジャンプ訪問比率範囲検索サブユニットと、
前記第２のジャンプ訪問比率範囲検索サブユニットによって見出された前記第２のジャンプ訪問比率範囲を、前記販売促進情報の前記リダイレクション品質として扱うように構成された、リダイレクション品質確認サブユニットと、を備える、請求項９に記載の装置。
【請求項１８】
販売促進情報を配置する方法であって、
第２のウェブサイトから第１のウェブサイトにリダイレクトされた販売促進情報のリダイレクション品質を取得することと、
前記リダイレクション品質が所定の配置基準を満たすときに、前記販売促進情報を前記第２のウェブサイトに配置し続けることを確認することと、を含む、方法。
【請求項１９】
前記販売促進情報の前記リダイレクション品質を決定することをさらに含む、請求項１８に記載の方法。
【請求項２０】
前記販売促進情報の前記リダイレクション品質を決定することは、
前記第１のウェブサイトのジャンプサーバから第１のジャンプクリックログを取得することと、
前記第２のウェブサイトに表示された前記販売促進情報をクリックすることにより、前記ジャンプサーバによって前記第１のウェブサイト内の対応する販売促進ウェブページにリダイレクトされた第１のジャンプ訪問の数を数えることと、
前記第１のウェブサイトのクリックサーバから第２のジャンプクリックログを取得することと、
前記取得された第２のジャンプクリックログに基づいて、かつ前記販売促進情報をクリックすることにより、前記ジャンプサーバによって前記対応する販売促進ウェブページにリダイレクトされた前記第１のジャンプ訪問の中から、前記第１のウェブサイトの前記販売促進ウェブページ上の取引情報をクリックすることにより、前記クリックサーバによって対応する取引ウェブページにリダイレクトされた第２のジャンプ訪問の数を数えることと、
前記第１のジャンプ訪問の前記数えられた数および第２のジャンプ訪問の前記数えられた数に基づいて、前記販売促進情報に対する第２のジャンプ訪問比率を決定することと、
前記決定された第２のジャンプ訪問比率に基づいて、前記販売促進情報の前記リダイレクション品質を決定することと、を含む、請求項１９に記載の方法。
【発明の詳細な説明】
【技術分野】
【０００１】
（関連出願の相互参照）
本出願は、「Ｍｅｔｈｏｄ  ａｎｄ  Ａｐｐａｒａｔｕｓ  ｏｆ  Ｄｅｔｅｒｍｉｎｉｎｇ  Ｒｅｄｉｒｅｃｔｉｏｎ  Ｑｕａｌｉｔｙ，ａｎｄ  Ｍｅｔｈｏｄ  ａｎｄ  Ａｐｐａｒａｔｕｓ  ｏｆ  Ｐｌａｃｉｎｇ  Ｐｒｏｍｏｔｉｏｎ  Ｉｎｆｏｒｍａｔｉｏｎ」と題する、２０１２年３月０８日に出願された中国特許出願第２０１２１００５９３４５．５号の優先権を主張し、これはその全体が参照により本明細書に組み込まれる。
【０００２】
本開示は、処理する情報の分野に関し、より詳細には、販売促進情報のリダイレクション品質を決定するための方法および装置、ならびに販売促進情報を配置する方法および装置に関する。
【背景技術】
【０００３】
既存の技術では、より多くのユーザをウェブサイトに引き込むために、ウェブサイトは、販売促進ウェブページおよびこの対応する販売促進情報を設定し、この販売促進情報を別のウェブサイトに公表する、すわなち、他のウェブサイトのウェブページ内に販売促進情報を掲載することができる。ユーザが他のウェブサイトのウェブページを閲覧すると、ユーザは、ウェブページ内に掲載された販売促進情報をクリックすることができる。ユーザによって使用されるウェブブラウザは、ウェブページ取得要求をそのウェブサイトに対応するジャンプサーバに送信することができる。ウェブページ取得要求は、販売促進ウェブページに対応するアドレス情報を含むことができる。ウェブページ取得要求を受信すると、ジャンプサーバは、ウェブページ取得要求内のアドレス情報に基づいて他のウェブサイトのウェブページから対応する販売促進ページにユーザの訪問をリダイレクトすることができる。ユーザのウェブブラウザは、販売促進ウェブページをユーザに示す。このような販売促進ウェブページは、ランディングページとも呼ばれ得る。したがって、他のウェブサイトを訪問するユーザは、このウェブサイトにリダイレクトされ得る。
【０００４】
既存の技術では、ユーザが他のウェブサイト内に掲載された販売促進情報をクリックし、ジャンプサーバによってウェブサイトの販売促進ウェブページに引き込まれた後、ユーザは、販売促進ウェブページ内の情報にこれ以上の操作を実行せずに、販売促進ウェブページを直接閉じることを選択することができる。このような訪問は、ウェブサイトにはあまり価値がない。しかしながら、既存の技術では、他のウェブサイト内に掲載される販売促進情報に関するリダイレクションの品質（すなわち、ウェブサイトに対する、販売促進情報をクリックすることにより、ジャンプサーバによってウェブサイトにリダイレクトされた訪問の価値）を決定することができない。したがって、ウェブサイトは、他のウェブサイト内の販売促進情報を配置し続けるかを決定することができない。別のウェブサイト内に配置される販売促進情報のリダイレクション品質が不十分である（すなわち、販売促進情報をクリックすることにより、ジャンプサーバによってそのウェブサイトにリダイレクトされた訪問は、そのウェブサイトにとって価値が低い）場合、ウェブサイトは、販売促進情報がさらにその中に配置される場合、ユーザのクリック操作に対する関連操作を実行する必要がある。これは、ウェブサイトのリソースを処理する利用率を低下させるだけではなく、ユーザ経験にも影響を与える。
【発明の概要】
【０００５】
本概要は、下段の発明を実施するための形態にさらに記述されている単純化された形式で一連の概念を紹介するために提供されている。本概要は、主張されている主題のあらゆる主要な特徴または重要な特徴を確認することが意図されておらず、主張されている主題の範囲を決定する上での支援として単独に用いられることも意図されていない。用語「技術」は、例えば、上記の文脈によって、かつ本開示にわたって認められるように、デバイス（複数可）、システム（複数可）、方法（複数可）、および／またはコンピュータ可読命令を指すことができる。
【０００６】
非常に不十分なリダイレクション品質を有する販売促進情報の連続的配置によりウェブサイトの処理リソースを占有し、かつ通信ネットワークの負担を増大させる問題を解決するために、本開示は、販売促進情報のリダイレクション品質を決定する方法および装置、ならびに販売促進情報を配置する方法および装置を提供する。
【０００７】
本開示の技術的方式は、次のように記載される。
【０００８】
販売促進情報のリダイレクション品質を決定する方法は、
第１のウェブサイトによって第２のウェブサイト内に配置される販売促進情報のリダイレクション品質が決定され得ると、第１のウェブサイトのジャンプサーバからの所定の期間と関連付けられる第１のジャンプクリックログを取得することと、
取得された第１のジャンプクリックログに基づいて、所定の期間内に販売促進情報をクリックすることにより、ジャンプサーバによって対応する販売促進ウェブページにリダイレクトされた第１のジャンプ訪問の数を数えることと、
第１のウェブサイトのクリックサーバから所定の期間と関連付けられる第２のジャンプクリックログを取得することと、
取得された第２のジャンプクリックログに基づいて、かつ所定の期間内に販売促進情報をクリックすることにより、ジャンプサーバによって対応する販売促進ウェブページにリダイレクトされた第１のジャンプ訪問の中から、販売促進ウェブページ上の取引情報をクリックすることにより、クリックサーバによって対応する取引ウェブページにリダイレクトされた第２のジャンプ訪問の数を数えることと、
第１のジャンプ訪問の数えられた数および第２のジャンプ訪問の数えられた数に基づいて、販売促進情報に対する第２のジャンプ訪問比率を決定することと、
決定された第２のジャンプ訪問比率に基づいて販売促進情報のリダイレクション品質を決定することと、を含む。
【０００９】
販売促進情報のリダイレクション品質を決定する装置は、
第１のウェブサイトによって第２のウェブサイト内に配置される販売促進情報のリダイレクション品質が決定され得ると、第１のウェブサイトのジャンプサーバからの所定の期間と関連付けられた第１のジャンプクリックログを取得するように構成された、第１のジャンプクリックログ取得ユニットと、
第１のジャンプクリックログ取得ユニットによって取得された第１のジャンプクリックログに基づいて、所定の期間内に販売促進情報をクリックすることにより、ジャンプサーバによって対応する販売促進ウェブページにリダイレクトされた第１のジャンプ訪問の数を数えるように構成された、第１のジャンプ訪問数計数ユニットと、
第１のウェブサイトのクリックサーバから第２のジャンプクリックログを取得するように構成された、第２のジャンプクリックログ取得ユニットと、
所定の期間内に販売促進情報をクリックすることにより、ジャンプサーバによって対応する販売促進ウェブページにリダイレクトされた第１のジャンプ訪問の中から、第２のジャンプクリックログ取得ユニットによって取得された第２のジャンプクリックログに基づいて、販売促進ウェブページ内の取引情報をクリックすることにより、クリックサーバによって対応する取引ウェブページにリダイレクトされた第２のジャンプ訪問の数を数えるように構成された、第２のジャンプ訪問数計数ユニットと、
第１のジャンプ訪問数計数ユニットによって数えられた第１のジャンプ訪問の数および第２のジャンプ訪問数計数ユニットによって数えられた第２のジャンプ訪問の数に基づいて、販売促進情報の第２のジャンプ訪問比率を決定するように構成された、第２のジャンプ訪問比率決定ユニットと、
第２のジャンプ訪問比率決定ユニットによって決定された第２のジャンプ訪問比率に基づいて、販売促進情報のリダイレクション品質を決定するように構成された、リダイレクション品質決定ユニットと、を含む。
【００１０】
販売促進情報を配置する方法は、
第１のウェブサイトによって第２のウェブサイト内に配置される販売促進情報のリダイレクション品質を取得することと、
リダイレクション品質が所定の配置基準を満たすときに販売促進情報を第２のウェブサイトに配置し続けることを確認することであって、販売促進情報のリダイレクション品質が販売促進情報のリダイレクション品質を決定する前述の方法を使用して決定される、ことと、を含む。
【００１１】
販売促進情報を配置する装置は、
第１のウェブサイトによって第２のウェブサイト内に配置される販売促進情報のリダイレクション品質を取得するように構成された、リダイレクション品質取得ユニットと、
リダイレクション品質取得ユニットによって取得されたリダイレクション品質が所定の配置基準を満たすときに第２のウェブサイトに販売促進情報の配置を続けることを確認するように構成され、リダイレクション品質が販売促進情報のリダイレクション品質を決定する前述の装置によって決定される、販売促進情報配置確認ユニットと、を含む。
【００１２】
例示的な実施形態は、第１のウェブサイトによって第２のウェブサイト内に配置される販売促進情報のリダイレクション品質が決定され得ると、第１のウェブサイトのジャンプサーバからの所定の期間と関連付けられる第１のジャンプクリックログを取得し、取得された第１のジャンプクリックログに基づいて、所定の期間内に販売促進情報をクリックすることにより、ジャンプサーバによって対応する販売促進ウェブページにリダイレクトされた第１のジャンプ訪問の数を数え、第１のウェブサイトのクリックサーバから所定の期間と関連付けられた第２のジャンプクリックログを取得し、取得された第２のジャンプクリックログに基づいて所定の期間内に販売促進情報をクリックすることにより、ジャンプサーバによって対応する販売促進ウェブページにリダイレクトされた第１のジャンプ訪問の中から、取得された第２のジャンプクリックログに基づいて販売促進ウェブページ上の取引情報をクリックすることにより、クリックサーバによって対応する取引ウェブページにリダイレクトされた第２のジャンプ訪問の数を数え、第１のジャンプ訪問の数えられた数および第２のジャンプ訪問の数えられた数に基づいて、販売促進情報の第２のジャンプ訪問比率を決定し、かつ決定された第２のジャンプ訪問比率に基づいて販売促進情報のリダイレクション品質を決定する。ユーザが販売促進情報（第１のウェブサイトによって第２のウェブサイトに配置され、リダイレクション品質が決定され得る）をクリックし、ジャンプサーバによって対応する販売促進ウェブページにリダイレクトされる場合、上述されるような第１のジャンプ訪問が生成される。ユーザが販売促進ウェブページ内の取引情報をクリックし、クリックサーバによって対応する取引ウェブページにリダイレクトされる場合、上述されるような第２のジャンプ訪問が生成される。ユーザが販売促進ウェブページ内の取引情報をクリックすることにより、第２のジャンプ訪問は、第１のウェブサイトにとってより貴重である。したがって、販売促進情報のリダイレクション品質は、第２のジャンプ訪問比率に基づいて決定されてもよい。換言すれば、販売促進情報をクリックすることにより、ジャンプサーバによって第１のウェブサイトにリダイレクトされた訪問の価値が決定され得る。その後、第１のウェブサイトが第２のウェブサイトに販売促進情報の配置を続けるかを決定する必要があると、販売促進情報のリダイレクション品質（第１のウェブサイトによって第２のウェブサイト内に配置される）は最初に取得されてもよい。販売促進情報を第２のウェブサイト内に配置し続ける確認は、リダイレクション品質が所定の配置基準を満たす場合になされ得る。これは、リダイレクション品質が非常に不十分である場合であっても、第１のウェブサイトがさらに販売促進情報を第２のウェブサイト内に配置するシナリオを回避する。したがって、第１のウェブサイトのリソースを処理する利用率が効果的に改善され、したがって販売促進情報の不十分なリダイレクション品質がユーザ経験に影響を及ぼすのを防ぐことができる。
【図面の簡単な説明】
【００１３】
【図１】本開示の第１の実施形態に従うユーザのクリックにより第１のウェブサイトによって実行されたリダイレクションのプロセスを図示するフローチャートである。
【図２】本開示の第２の実施形態に従う販売促進情報のリダイレクション品質を決定する方法を図示するフローチャートである。
【図３】本開示の第２の実施形態に従う販売促進情報に関する第１のウェブサイトと第２のウェブサイトとの間の収益比率を決定する原理を図示する概略図である。
【図４】本開示の第２の実施形態に従うユーザのクリックにより第１のウェブサイトによって実行されたリダイレクションの原理を図示する概略図である。
【図５】本開示の第３の実施形態に従う販売促進情報を配置する方法を図示するフローチャートである。
【図６】本開示の第４の実施形態に従う販売促進情報のリダイレクション品質を決定する装置を図示する概略図である。
【図７】本開示の第５の実施形態に従う販売促進情報を配置する装置を図示する概略図である。
【図８】図６および７に記載されるような例示的な装置を図示する構造図である。
【発明を実施するための形態】
【００１４】
添付の図面を用いて本開示の例示的な実施形態の技術的方式の主要実装原理、特定の実装方法、および利益が以下に詳細に記載される。
【００１５】
例示的な実施形態では、販売促進情報を配置するウェブサイトが第１のウェブサイトと呼ばれ、販売促進情報が配置されるウェブサイトが第２のウェブサイトと呼ばれる。
【００１６】
本実施形態は、第１のウェブサイトがユーザのクリックに基づいてリダイレクションを実行するオンライン処理プロセスと、第１のウェブサイトが販売促進情報のリダイレクション品質を決定するオフライン処理プロセスと、第１のウェブサイトが販売促進情報のリダイレクション品質に基づいて販売促進情報の配置を続けるかを決定するオフライン処理プロセスとを含む。第１のウェブサイトがユーザのクリックに基づいてリダイレクションを実行するオンライン処理プロセスは、次のように導入される。
【００１７】
（第１の実施形態）
【００１８】
より多くのユーザを第１のウェブサイトに引き込む意図によって、第１のウェブサイトは、販売促進ウェブページおよび販売促進ウェブページに対応する販売促進情報を設定することができる。販売促進情報は、ある特定の写真またはある特定のテキストセグメントなどであってもよい。次に、販売促進情報は、第２のウェブサイト内に配置され、すなわち、第２のウェブサイトのウェブページ内に販売促進情報を掲載することができる。ユーザが第２のウェブサイトのウェブページを閲覧すると、ユーザは、第２のウェブサイトのウェブページ内の販売促進情報をクリックすることができる。第１のウェブサイトのジャンプサーバは、第２のウェブサイトのウェブページから販売促進ウェブページにユーザの訪問をリダイレクトすることができる。
【００１９】
図１は、本開示の第１の実施形態に従うユーザのクリックに応答して第１のウェブサイトによって実行されたリダイレクションのプロセスを図示する略図である。このプロセスは以下を含む。
【００２０】
ブロック１１では、第２のウェブサイトのウェブページを閲覧すると、ユーザは、第２のウェブサイトのウェブページ内の第１のウェブサイトによって掲載される販売促進情報をクリックすることができる。
【００２１】
ブロック１２では、ユーザによって使用されるウェブブラウザ２は、ウェブページ取得要求を第１のウェブサイトに対応するジャンプサーバに送信することができる。ウェブページ取得要求は、ユーザによってクリックされる販売促進情報に対応する販売促進ウェブページのアドレス情報と、販売促進情報の識別子とを含むことができる。
【００２２】
販売促進情報の識別子としては、販売促進情報に対応する参照発行識別（ｒｅｆＰＩＤ；ＰＩＤ：発行識別）が挙げられ得るが、これに限定されない。第１のウェブサイトは、ｒｅｆＰＩＤを使用して、第２のウェブサイト内に配置されるある特定の販売促進情報の片を一意に識別することができる。同じ販売促進情報の片が異なる第２のウェブサイト内に配置されると、第２のウェブサイト内に配置された販売促進情報に対応するｒｅｆＰＩＤは互いに異なる。したがって、販売促進情報に対応するｒｅｆＰＩＤは、対応する第２のウェブサイトのウェブサイト識別子を含む。販売促進情報のｒｅｆＰＩＤに含まれるウェブサイト識別子に基づいて、販売促進情報が配置される第２のウェブサイトが決定されてもよい。
【００２３】
ウェブページ取得要求は、販売促進情報に対応するキーワードをさらに含むことができる。販売促進情報に対応するキーワードとしては、販売促進情報の分類情報などが挙げられ得るが、これに限定されない。
【００２４】
ブロック１３では、ジャンプサーバ４は、ウェブページ取得要求に含まれるアドレス情報に基づいて、ユーザによってクリックされる販売促進情報に対応する販売促進ウェブページにユーザの訪問をリダイレクトする。ユーザのウェブブラウザ２は、ブロック１３１で販売促進ウェブページをユーザに示す。この販売促進ウェブページは、「ランディングページ」とも呼ばれ得る。
【００２５】
ジャンプサーバ４によるこのリダイレクションによって、第２のウェブサイトを閲覧するユーザは、第１のウェブサイトの販売促進ウェブページにうまくリダイレクトされ得る。
【００２６】
さらに、ウェブページ取得要求を受信した後、ジャンプサーバ４は、ウェブページアクセス要求に含まれるキーワードに基づいて販売促進情報を認証することができ、販売促進情報がリダイレクションのために承認されるか検証する。具体的には、販売促進情報の許可情報は、ウェブページ取得要求に含まれるキーワードに基づいて見出されてもよく、販売促進情報が許可情報に基づいてリダイレクションのために承認されるかについて決定がなされてもよい。ジャンプサーバ４が販売促進情報をうまく認証し、すなわち、販売促進情報がリダイレクションを実行するための許可を有することを検証する場合、ブロック１３は実行されてもよい。販売促進情報が認証に失敗した場合、操作が実行される必要がない場合がある。
【００２７】
ブロック１４では、ジャンプサーバ４は、このクリック操作に対する訪問レコード（第１のジャンプ訪問レコードと呼ばれる）を生成し、生成された第１のジャンプ訪問レコードを第１のジャンプクリックログ内に記憶する。ジャンプサーバによって生成される第１のジャンプ訪問レコードは、ユーザによってクリックされた販売促進情報の識別子（販売促進情報に対応するｒｅｆＰＩＤなど）を含むことができ、これは、この第１のジャンプ訪問のソース、すなわち、第１のジャンプ訪問が第１のウェブサイトの販売促進ウェブページにリダイレクトされる第２のウェブサイトを表すために使用される。
【００２８】
本開示の第１の実施形態における第１のジャンプクリックログとしては、表１に示されるものが挙げられ得るが、これに限定されない。
【００２９】
【表１】
2015511036.tif 000003
【００３０】
第１のジャンプ訪問レコードは、このクリック操作に対応する時間の情報をさらに含むことができる。
【００３１】
ブロック１３およびブロック１４は、同時または順次実行され得る。この実行の順は、これに限定されない。
【００３２】
ブロック１５では、販売促進ウェブページは、各取引情報の片が取引ウェブページに対応する複数の取引情報の片を含むことができる。販売促進ウェブページを閲覧すると、ユーザは、販売促進ウェブページ内の取引情報をクリックすることができる。
【００３３】
ブロック１６では、ユーザによって使用されるウェブブラウザ２は、ウェブページ取得要求を第１のウェブサイトに対応するクリックサーバ６に送信する。このウェブページ取得要求は、ユーザによってクリックされた取引情報の識別子と、ユーザによってクリックされた取引情報に対応する取引ウェブページのウェブサイトのアドレス情報と、販売促進ウェブページに対応する販売促進情報の識別子（ｒｅｆＰＩＤ）と、取引ウェブページに対応する取引識別子とを含むことができる。
【００３４】
取引情報の識別子としては、取引情報に対応するＰＩＤが挙げられ得るが、これに限定されない。第１のウェブサイトは、ＰＩＤを使用して、販売促進ウェブページ上のある特定の取引情報の片を一意に識別する。同じ取引情報の片が異なる販売促進ウェブページに含まれる場合、各販売促進ウェブページ内のその取引情報の片のＰＩＤが他のものとは異なる。したがって、取引情報のＰＩＤは、対応する販売促進ウェブページのウェブページ識別子を含むことができる。取引情報を含む販売促進ウェブページは、販売促進ウェブページのＰＩＤに含まれるウェブページ識別子に基づいて決定されてもよい。
【００３５】
第１のウェブサイトが電子商取引のウェブサイトである場合、販売促進ウェブページに含まれる取引情報としては、電子商取引のウェブサイトの売り手によって設定された広告情報、例えば、売り手によって設定されたある特定の写真またはテキストセグメントが挙げられ得るが、これに限定されない。取引情報に対応する取引ウェブページとしては、売り手の製品情報が挙げられ得る。この場合、取引ウェブページに対応する取引識別子は、製品情報の識別子であってもよい。
【００３６】
ブロック１７では、クリックサーバ６は、ウェブページ取得要求に含まれるアドレス情報に基づいてユーザによってクリックされた取引情報に対応する取引ウェブページにユーザの訪問をリダイレクトする。ユーザのウェブブラウザは、ブロック１７１で取引ウェブページをユーザに示す。
【００３７】
クリックサーバ６によるこのリダイレクションは、第２のウェブサイトのユーザを特定の取引ウェブページにうまくリダイレクトすることができる。
【００３８】
ブロック１８では、クリックサーバ６は、このクリック操作に対応する訪問レコード（第２のジャンプ訪問レコードと呼ばれる）を生成し、第２のジャンプ訪問レコードを第２のジャンプクリックログ内に記憶する。ジャンプサーバ４によって生成された第２のジャンプ訪問レコードは、ユーザによってクリックされた取引情報の識別子（ＰＩＤ）と、販売促進ウェブページに対応する販売促進情報の識別子（ｒｅｆＰＩＤ）と、取引ウェブページの取引識別子とを含むことができる。
【００３９】
本開示のこの第１の実施形態における第２のジャンプクリックログとしては、表２に示されるものが挙げられ得るが、これに限定されない。
【００４０】
【表２】
2015511036.tif 000004
【００４１】
第２のジャンプ訪問レコードは、クリック操作に対応する時間の情報をさらに含むことができる。
【００４２】
販売促進情報の識別子（ｒｅｆＰＩＤ）は、第２のジャンプ訪問と関連付けられる第２のウェブサイトのソース、すなわち、第１のウェブサイトの販売促進ウェブページがリダイレクトされた第２のウェブサイト（第２のジャンプ訪問が取引ウェブページにリダイレクトされる）を示すために使用される。取引情報の識別子は、第２のジャンプ訪問と関連付けられる販売促進ウェブページのソース、すなわち、第２のジャンプ訪問が取引ウェブページにリダイレクトされる販売促進ウェブページを示すために使用される。取引ウェブページに対応する取引識別子は、第２のジャンプ訪問の対象の取引、すなわち、第２のジャンプ訪問によって対象とされる取引を示すために使用される。第１のウェブサイトが電子商取引のウェブサイトである場合、取引ウェブページの取引識別子は、第２のジャンプ訪問によって対象とされる製品情報を表すことができる。
【００４３】
ブロック１７およびブロック１８は、同時または順次実行され得る。この実行の順は、これに限定されない。
【００４４】
したがって、この第１の実施形態におけるユーザのクリックに対する第１のウェブサイトによって実行されたリダイレクションプロセスにより、第１のウェブサイトのジャンプサーバ４は、第１のジャンプクリックログを記憶し、第１のウェブサイトのクリックサーバ６は、第２のジャンプクリックログを記憶する。
【００４５】
販売促進情報のリダイレクション品質を決定するオフライン処理プロセスは、次のように記載される。
【００４６】
（第２の実施形態）
【００４７】
図２は、販売促進情報のリダイレクション品質を決定する方法を図示するフローチャートであり、これは以下を含む。
【００４８】
ブロック２１は、第１のウェブサイトによって第２のウェブサイト内に配置される販売促進情報のリダイレクション品質が決定されることを必要とされるときに、第１のウェブサイトのジャンプサーバから所定の期間と関連付けられる第１のジャンプクリックログを取得する。
【００４９】
第１のウェブサイトによって所定の期間内の第２のウェブサイト内に配置される販売促進情報のリダイレクション品質が決定されることを必要とされる場合、所定の期間と関連付けられた第１のジャンプクリックログは、第１のウェブサイトのジャンプサーバから取得されてもよい。第１の実施形態によれば、第１のジャンプクリックログは、ユーザが第１のウェブサイトの販売促進情報をクリックするたびに生成される第１のジャンプ訪問レコードを含むことができる。第１のジャンプ訪問レコードは、ユーザによってクリックされた販売促進情報の識別子（ｒｅｆＰＩＤ）を含むことができる。
【００５０】
第２の実施形態では、所定の期間は、例えば、１ヶ月など、必要に応じて定義されてもよい。
【００５１】
ブロック２２は、取得された第１のジャンプクリックログに基づいて所定の期間内に販売促進情報をクリックすることにより、ジャンプサーバによって販売促進ウェブページにリダイレクトされた第１のジャンプ訪問の数を数える。
【００５２】
第１のジャンプクリックログを取得した後、リダイレクションの品質が決定される必要がある販売促進情報の識別子（ｒｅｆＰＩＤ）を含む第１のジャンプ訪問レコード（第１のジャンプクリックログ内の）の数が数えられる。換言すれば、リダイレクション品質が決定され得る販売促進情報の識別子（ｒｅｆＰＩＤ）を含む第１のジャンプ訪問レコードがいくつかであるか数えられる。リダイレクション品質が決定され得る販売促進情報の識別子（ｒｅｆＰＩＤ）を第１のジャンプ訪問レコードが含む場合、リダイレクション品質が決定され得る販売促進情報をユーザがクリックした後、その第１のジャンプ訪問レコードをジャンプサーバが生成および記憶すると見なされ得る。したがって、第１のジャンプ訪問レコードの数えられた数は、リダイレクション品質が決定され得る販売促進情報をクリックすることにより、ジャンプサーバによって所定の期間内に対応する販売促進ウェブページにリダイレクトされた第１のジャンプ訪問の数として認識されてもよい。
【００５３】
リダイレクション品質が決定され得る販売促進情報の識別子がｒｅｆＰＩＤ５であり、第１のジャンプクリックログ内にｒｅｆＰＩＤ５を含む第１のジャンプ訪問レコードの数が１００である場合、リダイレクション品質が決定され得る販売促進情報をクリックすることにより、ジャンプサーバによって所定の期間内に対応する販売促進ウェブページにリダイレクトされた第１のジャンプ訪問の数が１００と数えられる。
【００５４】
ブロック２３は、第１のウェブサイトのクリックサーバから所定の期間と関連付けられた第２のクリックログを取得する。
【００５５】
所定の期間内の第１のウェブサイトによって第２のウェブサイトに配置される販売促進情報のリダイレクション品質が決定されることを必要とされる場合、所定の期間と関連付けられる第２のジャンプクリックログは、第１のウェブサイトのクリックサーバから取得されてもよい。本開示の第１の実施形態によれば、第２のジャンプクリックログは、ユーザが販売促進ウェブページ上の取引情報をクリックするたびに生成される第２のジャンプ訪問レコードを含むことができる。第２の訪問レコードは、ユーザによってクリックされた取引情報の識別子（ＰＩＤ）と、販売促進情報の識別子（ｒｅｆＰＩＤ）とを含むことができる。
【００５６】
ブロック２４は、販売促進情報をクリックすることにより、ジャンプサーバによって販売促進ウェブページにリダイレクトされた第１のジャンプ訪問の中から、取得された第２のジャンプクリックログに基づいて販売促進ウェブページ内の取引情報をクリックすることにより、クリックサーバによって取引ウェブページにリダイレクトされた第２のジャンプ訪問の数を数える。
【００５７】
第２のジャンプクリックログを取得した後、販売促進ウェブページ内の様々な取引情報の片の識別子（ＰＩＤ）が最初に取得される。具体的には、販売促進情報（リダイレクション品質が決定され得る）が属した販売促進ウェブページのウェブページ識別子が最初に取得される。販売促進ウェブページ内の取引情報の識別子（ＰＩＤ）が販売促進ウェブページのウェブページ識別子を含むことにより、販売促進ウェブページの識別子を含む取引情報の識別子は、取引情報のすべての識別子から見出されてもよい。リダイレクション品質が決定され得る販売促進情報の識別子（ｒｅｆＰＩＤ）と、取引情報の取得された識別子（ＰＩＤ）とを含む第２の訪問レコードの数は、取得された第２のクリックログから取得される。換言すれば、販売促進情報の識別子（ｒｅｆＰＩＤ）と、取引情報の識別子（ＰＩＤ）とを含む第２のジャンプ訪問レコードがいくつであるか数えられる。リダイレクション品質が決定され得る販売促進情報の識別子（ｒｅｆＰＩＤ）と、販売促進ウェブページに含まれる取引情報の識別子（ＰＩＤ）とを第２の訪問レコードが含む場合、リダイレクション品質が決定され得る販売促進情報をユーザがクリックした後、ジャンプサーバが販売促進情報に対応する販売促進ウェブページにユーザの訪問をリダイレクトし、次いで、ユーザが販売促進ウェブページ上の取引情報をクリックした後、クリックサーバが第２のジャンプ訪問レコードを生成および記憶すると見なされ得る。したがって、第２のジャンプ訪問レコードの数えられた数は、販売促進情報をクリックすることにより、ジャンプサーバによって販売促進ウェブページにリダイレクトされた第１のジャンプ訪問の中から、所定の期間内に販売促進ウェブページ上の取引情報をクリックすることにより、クリックサーバによって取引ウェブページにリダイレクトされた第２のジャンプ訪問の数として認識されてもよい。
【００５８】
この第２の実施形態では、ブロック２１およびブロック２２は、同時または順次実行され得る。この実行の順は、これに限定されない。
【００５９】
ブロック２５は、取得された第１のジャンプ訪問の数および第２のジャンプ訪問の数に基づいて販売促進情報の第２のジャンプ訪問比率を決定する。
【００６０】
第２のジャンプ訪問の数を第１のジャンプ訪問の数で割った商は、販売促進情報の第２のジャンプ訪問比率として扱われてもよい。
【００６１】
例えば、リダイレクション品質が決定され得る販売促進情報が販売促進情報Ａであり、ブロック２４で取得される第２のジャンプ訪問の数がＮ２であり、かつブロック２２で取得される第１のジャンプ訪問の数がＮ２である場合、販売促進情報Ａの第２のジャンプ訪問比率は、Ｎ＝Ｎ２／Ｎ１である。
【００６２】
ブロック２６は、決定された第２のジャンプ訪問比率に基づいて販売促進情報のリダイレクション品質を決定する。
【００６３】
この第２の実施形態では、異なるリダイレクション品質に対応する第２のジャンプ訪問比率範囲は、事前に決定されてもよい。販売促進情報の第２のジャンプ訪問比率を決定した後、決定された第２のジャンプ訪問比率が位置付けられる第２のジャンプ訪問比率範囲は、リダイレクション品質に対応する第２のジャンプ比率範囲から決定され、見出され、位置付けられた第２のジャンプ訪問比率範囲は、販売促進情報のリダイレクション品質として扱われる。
【００６４】
例えば、良好、平均、および不良という販売促進情報と関連付けられたリダイレクション品質の３つのタイプがあってもよい。その中で、「良好」リダイレクション品質は、（１、０．７］の第２のジャンプ訪問比率範囲に相当し、「平均」リダイレクション品質は、（０．７、０．３）の第２のジャンプ訪問比率範囲に相当し、「不良」リダイレクション品質は、［０．３、０）の第２のジャンプ訪問比率範囲に相当する。ブロック２５で決定される第２のジャンプ訪問比率が、（０．７、０．３）の第２のジャンプ訪問比率範囲内に位置付けられる０．５である場合、販売促進情報のリダイレクション品質は「平均」である。
【００６５】
さらに、第１のウェブサイトは、第１のウェブサイトが第２のウェブサイト内の販売促進情報を掲載することを望む場合、第２のウェブサイトに料金を支払う必要がある。既存の技術では、第１のウェブサイトは通常、第２のウェブサイトへの固定料金、例えば、毎月の固定料金を支払う。しかしながら、第２のウェブサイトの場合、このような手法は、ウェブページ内の一部分が固定価格で販売促進情報に貸し出されることを意味する。多くのユーザが販売促進情報をクリックすることにより、対応する販売促進ウェブページにリダイレクトされた場合であっても、販売促進情報に対する第１のウェブサイトによって支払われた料金は変わらないままである。したがって、第２のウェブサイトの収益は最大化されなくてもよい。また、第１のウェブサイトの場合、この手法は、販売促進情報のリダイレクション品質が不十分である場合、第１のウェブサイトにリダイレクトされた訪問に対して不十分な値を戻す。
【００６６】
第１のウェブサイトが電子商取引のウェブサイトである場合、販売促進ウェブページ内の取引情報は、売り手によって設定されてもよい。ユーザが販売促進ウェブページ内の取引情報をクリックする場合、クリックサーバは、売り手の製品の情報を含み得る対応する取引ウェブページにユーザの訪問をリダイレクトすることができる。売り手は、取引情報を販売促進ウェブページ内に入れるために第１のウェブサイトにある程度の料金を支払う必要があり得る。
【００６７】
第２のウェブサイトの収益を改善し、第１のウェブサイトにリダイレクションのより良い品質を提供するために、第２の実施形態は、第１のウェブサイトによって第２のウェブサイト内に配置される販売促進情報の第２のジャンプ訪問比率に基づいて、販売促進情報に関する第１のウェブサイトと第２のウェブサイトとの間の収益比率を決定することを提案する。本明細書に記載される収益比率は、売り手が売り手と関連付けられた取引情報へのユーザクリックにより料金に請求されるたびに第１のウェブサイトおよび第２のウェブサイトによって別々に取得された料金の比率を指す。
【００６８】
この第２の実施形態では、ユーザが第２のウェブサイトを閲覧し、第１のウェブサイトによって第２のウェブサイト内に配置される販売促進情報をクリックすると、ジャンプサーバは、対応する販売促進ウェブページにユーザの訪問をリダイレクトすることができる。この時点で、第１のウェブサイトは、販売促進ウェブページ内の取引情報の売り手に請求しない。ユーザが販売促進ウェブページを閲覧し、販売促進ウェブページ上の売り手によって設定される取引情報をクリックすると、クリックサーバは、対応する取引ウェブページにユーザの訪問をリダイレクトする。この時点で、第１のウェブサイトは、ユーザによってクリックされた取引情報に対応する売り手に料金を請求する。異なる取引情報の片に対応する料金は異なってもよい。第１のウェブサイトのクリックサーバは、取引ウェブページの取引識別子と請求される料金の情報との間の対応関係を記憶する。クリックサーバは、ユーザによってクリックされた取引情報に対応する取引ウェブページの識別子を使用する上記対応関係に基づいて売り手に請求され得る料金の情報を見出すことができる。取引ウェブページの取引識別子は、取引ウェブページに含まれる製品情報の識別子であってもよい。
【００６９】
第１のウェブサイトは、第２のウェブサイト内に配置された販売促進情報に対応する第２のジャンプ訪問に関する第１のウェブサイトの収益情報および販売促進情報に対応する第２のジャンプ訪問に関する第２のウェブサイトの収益情報を定期的に決定することができる。具体的には、所定の期間中の各第２のジャンプ訪問（すなわち、リダイレクション品質が決定され得る販売促進情報をクリックすることにより、ジャンプサーバによって販売促進情報のウェブページにリダイレクトされた第１のジャンプ訪問の中から、販売促進ウェブページ上の取引情報をクリックすることにより、クリックサーバによって取引ウェブページにリダイレクトされる第２のジャンプ訪問）に対応する料金情報は、取得された第２のジャンプクリックログに基づいて決定される。各第２のジャンプ訪問の場合、第２のジャンプ訪問による第１のウェブサイトの収益情報および第２のウェブサイトの収益情報は、第２のジャンプ訪問に対応する料金情報および販売促進情報に関する第１のウェブサイトと第２のウェブサイトとの間の収益比率、すなわち、各第２のジャンプ訪問から第１のウェブサイトおよび第２のウェブサイトによってそれぞれ取得された収益の情報に基づいて決定される。
【００７０】
第２の実施形態では、ユーザが販売促進ウェブページ内の取引情報をクリックすると、クリックサーバは、ユーザによってクリックされた取引情報の識別子（ＰＩＤ）およびこの第２のジャンプ訪問の第２のジャンプ訪問レコード内の関連した販売促進情報の識別子（ｒｅｆＰＩＤ）を記憶するだけではなく、ユーザによってクリックされた取引情報に対応する取引ウェブページの識別子もまた記憶する。第２のジャンプ訪問に対応する料金情報を決定すると、販売促進情報に対応する販売促進ウェブページに属する様々な取引情報の片の識別子（ＰＩＤ）が最初に取得されてもよい。具体的には、販売促進情報が属する販売促進ウェブページのウェブページ識別子が最初に決定されてもよい。販売促進ウェブページ内の取引情報の識別子（ＰＩＤ）が販売促進ウェブページのウェブページ識別子を含むことにより、販売促進ウェブページのウェブページ識別子を含む取引情報の識別子は、取引情報のすべての識別子の中から見出されてもよい。その後、取得された第２のジャンプクリックログから、販売促進情報の識別子（ｒｅｆＰＩＤ）と、取引情報の取得された識別子（ＰＩＤ）とを含む第２のジャンプ訪問レコードが決定される。換言すれば、第２のジャンプ訪問レコードが販売促進情報の識別子（ｒｅｆＰＩＤ）および取引情報の取得された識別子（ＰＩＤ）の両方を含むのがいくつであるか数えられる。各決定された第２のジャンプ訪問レコードの場合、第２のジャンプ訪問レコードに含まれた取引情報の取引識別子に基づいて、サービス識別子と料金の情報との間の対応関係から取引識別子に対応する料金情報が見出され、第２のジャンプ訪問レコードに対応する第２のジャンプ訪問の料金情報、すなわち、この第２のジャンプ訪問により売り手に請求される料金の情報が取得される。
【００７１】
図３は、本開示の第２の実施形態に従う販売促進情報に関する第１のウェブサイトと第２のウェブサイトとの間の収益比率を決定する原理を図示する概略図である。ユーザが第１のウェブサイトによって第２のウェブサイトに配置された販売促進情報３０２をクリックした後、ユーザの訪問は、販売促進情報に対応する販売促進ウェブページ３０４にリダイレクトされる。ユーザが販売促進ウェブページ３０４内の取引情報をクリックする場合、ユーザの訪問は、取引情報に対応する取引ウェブページ３０６にリダイレクトされる。第２のジャンプ訪問比率３０８が決定され、前述の実施形態に記載されるように第２のジャンプ訪問比率に基づいて収益比率３１０が決定される。図４は、本開示の第２の実施形態に従うユーザのクリックに対する第１のウェブサイトによって実行されたリダイレクションの原理を図示する概略図である。ユーザは、第１のウェブサイトによって第２のウェブサイト４０４に配置された販売促進情報４０２をクリックする。第１のウェブサイトのジャンプサーバ４０６は、販売促進情報４０２に対応する販売促進ウェブページ４０８にユーザの訪問をリダイレクトする。かかる訪問は、第１のジャンプ訪問４１０と呼ばれる。ジャンプサーバ４０６はまた、第１のジャンプクリックログ４１２を生成および記憶する。第１のジャンプクリックログ４１２は、ユーザが販売促進情報４０２をクリックするたびに生成される第１のジャンプ訪問レコードを含む。第１のジャンプ訪問レコードは、販売促進情報４０２の識別子（ｒｅｆＰＩＤ）を含む。販売促進ウェブページ４０８を閲覧すると、ユーザは、販売促進ウェブページ４０８内の取引情報４１４をクリックすることができる。第１のウェブサイトのクリックサーバ４１６は、取引情報４１４に対応する取引ウェブページ４１８にユーザの訪問をリダイレクトする。かかる訪問は、第２のジャンプ訪問４２０と呼ばれる。クリックサーバ４１６はまた、第２のジャンプクリックログ４２２を生成および記憶する。第２のジャンプクリックログ４２２は、ユーザが取引情報４１４をクリックするたびに生成される第２のジャンプ訪問レコードを含む。第２のジャンプ訪問レコードは、販売促進情報４０２の識別子（ｒｅｆＰＩＤ）と、ユーザによってクリックされた取引情報４１４の識別子（ＰＩＤ）と、取引情報４１４に対応する取引ウェブページ４１８の取引識別子とを含む。第２のジャンプ訪問比率は、第１のジャンプクリックログ４１２および第２のジャンプクリックログ４２２に基づいて決定されてもよい。販売促進情報４０２に関する第１のウェブサイトと第２のウェブサイトとの間の収益比率は、第２のジャンプ訪問比率に基づいて決定されてもよい。さらに、クリックサーバ４１６はまた、第２のジャンプ訪問レコードに含まれる取引識別子に基づいてこの第２のジャンプ訪問に対応する料金情報、すなわち、対応する売り手に請求される料金の情報を決定することができる。したがって、この第２のジャンプ訪問に関する第１のウェブサイトおよび第２のウェブサイトのそれぞれの収益の情報は、料金情報および収益比率に基づいて決定されてもよい。
【００７２】
販売促進情報のリダイレクション品質に基づいて販売促進情報を配置し続けるかを決定するオフライン処理プロセスは、次のように記載される。
【００７３】
（第３の実施形態）
【００７４】
図５は、本開示の第３の実施形態に従う販売促進情報を配置する方法を図示するフローチャートである。具体的には、このプロセスは以下を含む。
【００７５】
ブロック５１は、第１のウェブサイトによって第２のウェブサイト内に配置される販売促進情報のリダイレクション品質を取得する。
【００７６】
販売促進情報が第１のウェブサイトによって第２のウェブサイト内に配置された後、所定期間内の販売促進情報のリダイレクション品質は、第２の実施形態に記載されるように販売促進情報のリダイレクション品質を決定する方法を使用して決定されてもよい。
【００７７】
ブロック５２は、リダイレクション品質が所定の配置基準を満たすときに販売促進情報を第２のウェブサイト内に配置し続けることを確認する。
【００７８】
この第３の実施形態では、リダイレクション品質が所定の配置基準を満たす場合、第１のウェブサイトは、販売促進情報を第２のウェブサイト内に配置し続けることができる。リダイレクション品質が所定の配置基準を満たさない場合、第１のウェブサイトは、第２のウェブサイト内に販売促進情報の配置を続ける必要がない。
【００７９】
販売促進情報のリダイレクション品質としては、良好、平均、および不良が挙げられ得るが、これらに限定されない。配置基準は、「良好」として設定されてもよい。具体的には、販売促進情報のリダイレクション品質が良好である場合、第１のウェブサイトは、販売促進情報を第２のウェブサイト内に配置し続けることができる。販売促進情報のリダイレクション品質が平均または不良である場合、第１のウェブサイトは、販売促進情報を第２のウェブサイト内に配置し続ける必要がない。
【００８０】
上記の処理プロセスから分かるように、この例示的な実施形態は、第１のウェブサイトのジャンプサーバから、第１のウェブサイトによって第２のウェブサイト内に配置される販売促進情報のリダイレクション品質が決定され得るときに、所定の期間と関連付けられた第１のジャンプクリックログを最初に取得し、取得された第１のジャンプクリックログに基づいて、所定の期間内に販売促進情報をクリックすることにより、ジャンプサーバによって対応する販売促進ウェブページにリダイレクトされた第１のジャンプ訪問の数を数え、第１のウェブサイトのクリックサーバから所定の期間と関連付けられた第２のジャンプクリックログを取得し、所定の期間内に販売促進情報をクリックすることにより、ジャンプサーバによって対応する販売促進ウェブページにリダイレクトされた第１のジャンプ訪問の中から、取得された第２のジャンプクリックログに基づいて販売促進ウェブページ上の取引情報をクリックすることにより、クリックサーバによって対応する取引ウェブページにリダイレクトされた第２のジャンプ訪問の数を数え、第１のジャンプ訪問の数えられた数および第２のジャンプ訪問の数えられた数に基づいて、販売促進情報の第２のジャンプ訪問比率を決定し、かつ決定された第２のジャンプ訪問比率に基づいて販売促進情報をリダイレクトする品質を決定する。ユーザが販売促進情報（第１のウェブサイトによって第２のウェブサイト内に配置され、リダイレクション品質が決定され得る）をクリックし、ジャンプサーバによって対応する販売促進ウェブページにリダイレクトされる場合、上述されるような第１のジャンプ訪問が生成される。ユーザが販売促進ウェブページ内の取引情報をクリックし、クリックサーバによって対応する取引ウェブページにリダイレクトされる場合、上述されるような第２のジャンプ訪問が生成される。ユーザが販売促進ウェブページ内の取引情報をクリックすることにより、第２のジャンプ訪問は、第１のウェブサイトにとってより貴重である。したがって、販売促進情報のリダイレクション品質は、第２のジャンプ訪問比率に基づいて決定されてもよい。換言すれば、販売促進情報をクリックすることにより、ジャンプサーバによって第１のウェブサイトにリダイレクトされる訪問の価値が決定されてもよい。その後、第１のウェブサイトが販売促進情報を第２のウェブサイト内に配置し続けるかを決定する必要があると、第１のウェブサイトによって第２のウェブサイト内に配置される販売促進情報のリダイレクション品質は最初に取得されてもよい。販売促進情報を第２のウェブサイト内に配置し続ける確認は、リダイレクション品質が所定の配置基準を満たすときになされてもよい。これは、リダイレクション品質が非常に不十分である場合であっても、第１のウェブサイトがさらに販売促進情報を第２のウェブサイト内に配置するシナリオを回避する。したがって、第１のウェブサイトのリソースを処理する利用率は効果的に改善され、したがって販売促進情報の不十分なリダイレクション品質がユーザ経験に影響を及ぼすのを防ぐことができる。
【００８１】
（第４の実施形態）
【００８２】
本開示の第２の実施形態に記載されるように販売促進情報のリダイレクション品質を決定する方法に対応して、本開示の第４の実施形態は、販売促進情報のリダイレクション品質を決定する装置を提供する。この構造は図６に示され、これは、
第１のウェブサイトによって第２のウェブサイト内に配置される販売促進情報のリダイレクション品質が決定され得るときに、第１のウェブサイトのジャンプサーバから所定の期間と関連付けられた第１のジャンプクリックログを取得するように構成された、第１のジャンプクリックログ取得ユニット６１と、
第１のジャンプクリックログ取得ユニット６１によって取得された第１のジャンプクリックログに基づいて所定の期間内に販売促進情報をクリックすることにより、ジャンプサーバによって対応する販売促進ウェブページにリダイレクトされた第１のジャンプ訪問の数を数えるように構成された、第１のジャンプ訪問数計数ユニット６２と、
第１のウェブサイトのクリックサーバから第２のジャンプクリックログを取得するように構成された、第２のジャンプクリックログ取得ユニット６３と、
所定の期間内に販売促進情報をクリックすることにより、ジャンプサーバによって対応する販売促進ウェブページにリダイレクトされた第１のジャンプ訪問の中から、第２のジャンプクリックログ取得ユニット６３によって取得された第２のジャンプクリックログに基づいて販売促進ウェブページ上の取引情報をクリックすることにより、クリックサーバによって対応する取引ウェブページにリダイレクトされた第２のジャンプ訪問の数を数えるように構成された、第２のジャンプ訪問数計数ユニット６４と、
第１のジャンプ訪問数計数ユニット６２によって数えられた第１のジャンプ訪問の数および第２のジャンプ訪問数計数ユニット６４によって数えられた第２のジャンプ訪問の数に基づいて、販売促進情報の第２のジャンプ訪問比率を決定するように構成された、第２のジャンプ訪問比率決定ユニット６５と、
第２のジャンプ訪問比率決定ユニット６５によって決定された第２のジャンプ訪問比率に基づいて、販売促進情報のリダイレクション品質を決定するように構成された、リダイレクション品質決定ユニット６６と、を含む。
【００８３】
一実施形態では、第２のジャンプ訪問比率決定ユニット６５は、第２のジャンプ訪問計数ユニット６４によって数えられた第２のジャンプ訪問の数を第１のジャンプ訪問計数ユニット６２によって数えられた第１のジャンプ訪問の数で割った商の値を、販売促進情報の第２のジャンプ訪問比率として使用するようにさらに構成されてもよい。
【００８４】
いくつかの実施形態では、本装置は、第２のジャンプ訪問比率決定ユニット６５によって決定された第２のジャンプ訪問比率に基づいて、販売促進情報に関する第１のウェブサイトと第２のウェブサイトとの間の収益比率を決定するように構成される収益比率決定ユニットをさらに含むことができる。
【００８５】
一実施形態では、本装置は、
第２のジャンプクリックログ取得ユニット６３によって取得された第２のジャンプクリックログに基づいて、所定の期間内の各第２のジャンプ訪問に対応する料金情報を決定するように構成された、料金情報決定ユニットと、
料金情報決定ユニットによって決定された料金情報および収益比率決定ユニットによって決定された収益比率に基づいて、各第２のジャンプ訪問に関する第１のウェブサイトおよび第２のウェブサイトに対するそれぞれの収益の情報を決定するように構成された、収益情報決定ユニットと、をさらに含むことができる。
【００８６】
いくつかの実施形態では、第２のジャンプクリックログは、ユーザが販売促進ウェブページ内の取引情報をクリックするたびに生成される第２のジャンプ訪問レコードを含むことができる。第２のジャンプ訪問レコードは、ユーザによってクリックされた取引情報の識別子と、販売促進情報の識別子と、ユーザによってクリックされた取引情報に対応する取引ウェブページの取引識別子とを含む。
【００８７】
料金情報決定ユニットは、
販売促進ウェブページ内の様々な取引情報の片の識別子を取得するように構成された、第１の取引情報識別子取得サブユニットと、
リダイレクション品質が決定され得る販売促進情報の識別子と、第２のジャンプクリックログ取得ユニット６３によって取得される第２のジャンプクリックログから第１の取引情報識別子取得ユニットによって取得された取引情報の識別子とを含む第２のジャンプ訪問レコードを決定するように構成された、第２のジャンプ訪問レコード決定サブユニットと、
第２のジャンプ訪問レコード決定サブユニットによって決定された各第２のジャンプ訪問レコードに対して、第２のジャンプ訪問レコードに含まれる取引識別子に基づいて第２のジャンプ訪問レコードに対応する第２のジャンプ訪問の料金情報を決定するように構成された、料金情報決定サブユニットと、を含むことができる。
【００８８】
いくつかの実施形態では、第１のジャンプクリックログは、ユーザが第１のウェブサイトの販売促進情報をクリックするたびに生成される第１のジャンプ訪問レコードを含む。第１のジャンプ訪問レコードは、ユーザによってクリックされた販売促進情報の識別子を含む。
【００８９】
第１のジャンプ訪問計数ユニット６２は、
第１のジャンプクリックログ取得ユニット６１によって取得される第１のジャンプクリックログからの販売促進情報の識別子を含む第１のジャンプ訪問レコードの数を数えるように構成された、第１のジャンプ訪問レコード計数サブユニットと、
第１のジャンプ訪問レコード計数サブユニットによって数えられた第１のジャンプ訪問レコードの数を、販売促進情報をクリックすることによりジャンプサーバによって所定の期間内に対応する販売促進ウェブページにリダイレクトされた第１のジャンプ訪問の数として扱うように構成された、第１のジャンプ訪問数確認サブユニットと、を含むことができる。
【００９０】
第２のジャンプクリックログは、ユーザが販売促進ウェブページ内の取引情報をクリックするたびに生成される第２のジャンプ訪問レコードを含むことができる。第２のジャンプ訪問レコードは、ユーザによってクリックされた取引情報の識別子と、販売促進情報の識別子とを含む。
【００９１】
第２のジャンプ訪問計数ユニット６４は、
販売促進ウェブページ上の様々な取引情報の片の識別子を取得するように構成された、第２のサービス情報識別子取得サブユニットと、
リダイレクション品質が決定され得る販売促進情報の識別子と、第２のジャンプクリックログ取得ユニット６３によって取得される第２のジャンプクリックログから第２のサービス情報識別子取得サブユニットによって取得された取引情報の識別子とを含む第２のジャンプ訪問レコードの数を決定するように構成された、第２のジャンプ訪問レコード計数サブユニットと、
販売促進情報をクリックすることにより、ジャンプサーバによって対応する販売促進ウェブページにリダイレクトされた第１のジャンプ訪問の中から、第２のジャンプ訪問レコード計数サブユニットによって取得された第２のジャンプ訪問レコードの数を、所定の期間内に販売促進ウェブページ内の取引情報をクリックすることによりクリックサーバによって対応する取引ウェブページにリダイレクトされた第２のジャンプ訪問の数として扱うように構成された、第２のジャンプ訪問数確認サブユニットと、を含むことができる。
【００９２】
一実施形態では、リダイレクション品質決定ユニット６６は、
様々なリダイレクション品質に対応する所定の第２のジャンプ比率範囲の中から第２のジャンプ訪問比率決定ユニット６５によって決定された第２のジャンプ訪問比率が配置される第２のジャンプ訪問比率範囲を見出すように構成された、第２のジャンプ訪問比率範囲検索サブユニットと、
第２のジャンプ訪問比率範囲検索サブユニットによって見出された第２のジャンプ訪問比率範囲を、販売促進情報のリダイレクション品質として扱うように構成された、リダイレクション品質確認サブユニットと、を含むことができる。
【００９３】
（第５の実施形態）
【００９４】
本開示の第３の実施形態に従う販売促進情報を配置する方法に対応して、本開示の第５の実施形態は、販売促進情報を配置する装置を提供する。この構造は図７に示され、これは、
第１のウェブサイトによって第２のウェブサイト内に配置される販売促進情報のリダイレクション品質を取得するように構成された、リダイレクション品質取得ユニット７１と、
リダイレクション品質取得ユニット７１によって取得されたリダイレクション品質が所定の配置基準を満たすときに、第２のウェブサイト内に販売促進情報の配置を続けることを確認するように構成された、販売促進情報配置確認ユニット７２と、を含む。
【００９５】
販売促進情報のリダイレクション品質は、販売促進情報のリダイレクション品質を決定する前述の装置によって決定される。
【００９６】
当業者であれば、本開示の実施形態がコンピュータソフトウェアの方法、装置（デバイス）、または製品として実装され得ることを理解するべきである。したがって、本開示は、ハードウェア、ソフトウェア、またはハードウェアおよびソフトウェアの組み合わせの形態で実装されてもよい。さらに、本開示は、コンピュータ可読プログラム命令を含む１つ以上のコンピュータ可読記憶媒体（ディスクストレージデバイス、ＣＤ−ＲＯＭ、光学ストレージデバイスなどを含むが、これらに限定されない）を実行可能なコンピュータソフトウェアの製品の形態で実装されてもよい。
【００９７】
本開示は、例示的な方法、装置（デバイス）、およびコンピュータプログラム製品のフローチャートおよび／またはブロック図に従って記載される。フローチャートおよび／またはブロック図の各プロセスおよび／またはブロックならびにプロセスおよび／またはブロックの組み合わせがコンピュータプログラム命令の形態で実装され得ることを理解されるべきである。このようなコンピュータプログラム命令は、汎用コンピュータ、専用コンピュータ、組み込み型プロセッサ、またはプログラマブルデータ処理デバイスに機械を生成させる別の処理装置に適用されてもよく、そのためフローチャートの１つ以上のプロセスに記載される１つ以上のブロックおよび／またはブロック図の１つ以上のブロックに示される機能を有する装置が、コンピュータまたはプログラマブルデータ処理デバイスを有する他の処理装置により命令を実行することによって実装され得る。
【００９８】
このようなコンピュータプログラム命令はまた、コンピュータまたは別のプログラマブルデータ処理装置を特異的に機能させ得るコンピュータ可読メモリデバイス内に記憶されてもよく、そのため指示装置を含む製品が、コンピュータ可読メモリデバイス内に記憶された命令に基づいて構築され得る。その指示デバイスは、フローチャートの１つ以上のプロセスおよび／またはブロック図の１つ以上のブロックによって示される機能を実装する。
【００９９】
コンピュータプログラム命令はまた、コンピュータまたは別のプログラマブルデータ処理装置にロードされてもよく、そのため一連の操作が、コンピュータ実装処理を生成するようにコンピュータまたは他のデータ処理装置によって実行され得る。したがって、コンピュータまたは他のプログラマブル装置によって実行された命令は、フローチャートの１つ以上のプロセスおよび／またはブロック図の１つ以上のブロックを実装するために使用されてもよい。
【０１００】
例えば、図８は、上述されるような装置など、例示的なリダイレクション品質決定および販売促進情報配置装置８００をより詳細に図示する。一実施形態では、装置８００は、１つ以上のプロセッサ８０１と、ネットワークインターフェース８０２と、メモリ８０３と、入力／出力インターフェース８０４とを含むが、これらに限定されない。
【０１０１】
メモリ８０３は、ランダムアクセスメモリ（ＲＡＭ）などの揮発性メモリ、および／または読み出し専用メモリ（ＲＯＭ）もしくはフラッシュＲＡＭなどの不揮発性メモリの形態でコンピュータ可読媒体を含むことができる。メモリ５０３は、コンピュータ可読媒体の一例である。
【０１０２】
コンピュータ可読媒体は、コンピュータ可読命令、データ構造、プログラムモジュール、または他のデータなど、情報の記憶のためのあらゆる方法または技術に実装された揮発性かつ不揮発性、取り外し可能かつ取り外し可能ではない媒体を含む。コンピュータ記憶媒体の例としては、相変化メモリ（ＰＲＡＭ）、スタティックランダムアクセスメモリ（ＳＲＡＭ）、ダイナミックランダムアクセスメモリ（ＤＲＡＭ）、他のタイプのランダムアクセスメモリ（ＲＡＭ）、読み出し専用メモリ（ＲＯＭ）、電気的消去可能プログラマブル読み出し専用メモリ（ＥＥＰＲＯＭ）、フラッシュメモリもしくは他のメモリ技術、コンパクトディスク読み出し専用メモリ（ＣＤ−ＲＯＭ）、デジタル多用途ディスク（ＤＶＤ）もしくは他の光学ストレージ、磁気カセット、磁気テープ、磁気ディスクストレージもしくは他の磁気ストレージデバイス、またはコンピューティングデバイスによるアクセスのための情報を記憶するために使用され得る任意の他の非伝送媒体が挙げられるが、これらに限定されない。本明細書で定義されるとき、コンピュータ可読媒体は、変調されたデータ信号および搬送波などの一時的な媒体を含まない。
【０１０３】
メモリ８０３は、プログラムユニット８０５と、プログラムデータ８０６とを含むことができる。一実施形態では、プログラムユニット８０５は、第１のジャンプクリックログ取得ユニット８０７と、第１のジャンプ訪問数計数ユニット８０８と、第２のジャンプクリックログ取得ユニット８０９と、第２のジャンプ訪問数計数ユニット８１０と、第２のジャンプ訪問比率決定ユニット８１１と、リダイレクション品質決定ユニット８１２と、料金情報決定ユニット８１３と、収益情報決定ユニット８１４と、リダイレクション品質取得ユニット８１５と、販売促進情報配置確認ユニット８１６とを含むことができる。これらのプログラムユニットならびにあらゆるサブユニットおよび／またはこのモジュールについての詳細は、上述される前述の実施形態に見出され得る。
【０１０４】
本開示の好ましい実施形態が提供されるが、当業者であれば、この基本的な発明の概念を理解することにより、これらの例示的な実施形態を変更および修正することができる。したがって、本明細書に添付された特許請求の範囲は、好ましい実施形態ならびに本開示の範囲内に入るすべての変更および修正を包含することを意図される。当業者であれば、本開示の趣旨および範囲から逸脱することなく本出願の変更および修正を行うことができる。これらの変更および修正が本開示の特許請求の範囲および均等物の範囲内である場合、本開示は、かかる変更および修正を包含することを意図する。
【図１】
2015511036.tif 000005
【図２】
2015511036.tif 000006
【図３】
2015511036.tif 000007
【図４】
2015511036.tif 000008
【図５】
2015511036.tif 000009
【図６】
2015511036.tif 000010
【図７】
2015511036.tif 000011
【図８】
2015511036.tif 000012
【国際調査報告】
2015511036.tif 000013
2015511036.tif 000014